(57)【特許請求の範囲】
【請求項１】
遊技盤と、該遊技盤の遊技領域を視認可能な透明板とを備え、
前記遊技盤から前側に突出し且つ遊技球が衝突可能な遊技部品を備えた遊技機において、
前記遊技部品は、
前記遊技盤の前面に配置された台板と、
該台板から前側に突出する突出部と、
該突出部の後部から前記台板へと広がり且つ遊技球と接触しない補強部とを備え、
前記突出部は遊技球が衝突可能な衝突部を先端側に有し、
前記突出部と前記透明板との距離は遊技球の略半径であって半径未満である
ことを特徴とする遊技機。
【請求項２】
遊技盤と、該遊技盤の遊技領域を視認可能な透明板とを備え、
前記遊技盤から前側に突出し且つ遊技球が衝突可能な遊技部品を備えた遊技機において、
前記遊技部品は、
前記遊技盤の前面に配置された台板と、
該台板から前側に突出する突出部と、
該突出部の後部から前記台板へと広がり且つ遊技球と接触しない補強部とを備え、
前記突出部は遊技球の直径と略同じ突出長さを有し、
前記突出部と前記透明板との距離は遊技球の略半径であって半径未満であり、
前記突出部の突出長さの略半分から先端側までが、遊技球が衝突可能な衝突部である
ことを特徴とする遊技機。
【発明の詳細な説明】
【技術分野】
【０００１】
本発明は、パチンコ機、アレンジボール機等の遊技機に関するものである。
【背景技術】
【０００２】
パチンコ機の遊技盤は、発射手段から発射された遊技球を遊技領域の上部側へと案内するガイドレールが配置されると共に、その遊技領域内に画像表示手段、普通図柄始動手段、特別図柄始動手段、普通図柄表示手段、特別図柄表示手段、普通入賞手段、可変入賞手段等の各種の遊技部品が配置されている。
【０００３】
ゲームに際しては、ガイドレールを経て遊技領域の上部へと遊技球を打ち込んで、その遊技球が遊技釘等に衝突又は案内されながら遊技球が流下する間に、普通入賞手段、可変入賞手段の何れかに入賞すれば、その入賞数に応じて所定数の遊技球を払い出すようにしている。
【０００４】
近年の遊技盤では、画像表示手段が非常に大型化する傾向にあり、これに伴って画像表示手段の前側外周側を飾る前飾り枠等の前構造体も大型化し、この前構造体の台板が遊技盤の前面に当接するため、遊技領域の上部側に遊技釘を配置するスペースが少なくなりつつある。
【０００５】
そこで、前構造体の台板に、遊技盤の前面側からガラス板ユニットの近傍まで突出する複数個の障害突起を一体に設け、ガイドレールを経て遊技領域の上部側へと打ち込まれた遊技球をその障害突起に衝突させて、その遊技球の流下方向を不規則に変化させるようにしている（特許文献１）。
【特許文献１】特開２０１０−１３６８６７号公報
【発明の開示】
【発明が解決しようとする課題】
【０００６】
この従来の障害突起は、台板からガラス板ユニットの近傍まで突出する筒状の周壁部と、この周壁部の前端側を閉塞する前壁部とを一体に備えた構造であって、遊技球が中空状の周壁部の前後方向の中間部分の外周側に衝突するため、パチンコ機を長期間にわたって稼動した場合には、遊技球の衝突時の衝撃によって周壁部が損傷する等の問題がある。
【０００７】
即ち、従来の障害突起は遊技球が中空状の周壁部に衝突する構造であって、その内側に周壁部をバックアップするものがないため、遊技球の衝撃を周壁部で直接受けることとなり、遊技球が頻繁に衝突する箇所ではその衝撃によって周壁部が破損する惧れがあり、障害突起の耐久性を十分に確保できないという問題がある。
【０００８】
本発明は、このような従来の問題点に鑑み、遊技部品の耐久性の向上を図ることができる遊技機を提供することを目的とする。
【課題を解決するための手段】
【０００９】
本発明は、遊技盤と、該遊技盤の遊技領域を視認可能な透明板とを備え、前記遊技盤から前側に突出し且つ遊技球が衝突可能な遊技部品を備えた遊技機において、前記遊技部品は、前記遊技盤の前面に配置された台板と、該台板から前側に突出する突出部と、該突出部の後部から前記台板へと広がり且つ遊技球と接触しない補強部とを備え、前記突出部は遊技球が衝突可能な衝突部を先端側に有し、前記突出部と前記透明板との距離は遊技球の略半径であって半径未満としたものである。
【００１０】
別の本発明は、遊技盤と、該遊技盤の遊技領域を視認可能な透明板とを備え、前記遊技盤から前側に突出し且つ遊技球が衝突可能な遊技部品を備えた遊技機において、前記遊技部品は、前記遊技盤の前面に配置された台板と、該台板から前側に突出する突出部と、該突出部の後部から前記台板へと広がり且つ遊技球と接触しない補強部とを備え、前記突出部は遊技球の直径と略同じ突出長さを有し、前記突出部と前記透明板との距離は遊技球の略半径であって半径未満であり、前記突出部の突出長さの略半分から先端側までが、遊技球が衝突可能な衝突部としたものである。
【発明の効果】
【００１２】
本発明によれば、遊技部品の耐久性の向上を図ることができる利点がある。
【図面の簡単な説明】
【００１３】
【図１】本発明の第１の実施形態を示すパチンコ機の斜視図である。
【図２】同パチンコ機の平面断面図である。
【図３】同遊技盤の正面図である。
【図４】同遊技盤の打ち込み領域及び減速領域部分の正面断面図である。
【図５】同遊技盤の打ち込み領域及び減速領域部分の側面断面図である。
【図６】同遊技盤のステージ部及び演出手段部分の側面断面図である。
【図７】同障害突起の拡大断面図である。
【図８】同前構造体の支持枠の斜視図である。
【図９】同ステージ部の正面断面図である。
【図１０】同区画部材の背面図である。
【図１１】同ステージ部の平面断面図である。
【図１２】同区画部材、ステージ部の分解斜視図である。
【図１３】同発光演出手段の断面図である。
【図１４】本発明の第２の実施形態を示す障害突起部分の側面断面図である。
【図１５】同障害突起部分の平面断面図である。
【図１６】本発明の第３の実施形態を示す障害突起部分の側面断面図である。
【図１７】同障害突起部分の正面図である。
【図１８】本発明の第４の実施形態を示す発光演出手段部分の側面断面図である。
【図１９】本発明の第５の実施形態を示す発光演出手段部分の側面断面図である。
【図２０】本発明の第６の実施形態を示す支持枠の斜視図である。
【図２１】同要部の平面断面図である。
【図２２】同要部の側面断面図である。
【図２３】本発明の第７の実施形態を示す支持枠の斜視図である。
【図２４】本発明の第８の実施形態を示す遊技盤の中央部の側面断面図である。
【発明を実施するための形態】
【００１４】
以下、本発明の第１の実施形態を図面に基づいて詳述する。
【００１５】
図１〜図１３は本発明をパチンコ機に採用した第１の実施形態を例示する。パチンコ機は、図１、図２に示すように矩形状の外枠１と、この外枠１の前側にヒンジ２により縦軸廻りに開閉自在に枢着された前枠３とを備えている。なお、外枠１と前枠３とにより、遊技機本体１，３が構成されている。
【００１６】
前枠３は上部側に遊技盤装着部３ａを有し、その遊技盤装着部３ａに遊技盤４が前側又は後側から着脱自在に装着されている。また、前枠３の前側には、遊技盤４の前側に対応する第１前扉５と、この第１前扉５の下側に配置された第２前扉６とが、ヒンジ２と略同一軸心上のヒンジ７により縦軸廻りに開閉自在に枢支されている。なお、上下の第１前扉５と第２前扉６とを一体にして、一つの前扉とすることも可能である。
【００１７】
第２前扉６の前側には発射用の遊技球を貯留する球供給皿８が配置され、その側方に遊技球を発射する発射手段の発射ハンドル９が設けられている。
【００１８】
第１前扉５は遊技盤４の遊技領域１１（図２参照）に対応する透視窓１０と、遊技領域１１を視認可能に透視窓１０を塞ぐガラス板ユニット（透明板ユニット）１２とを有する。ガラス板ユニット１２は前後２枚のガラス板（透明板）１３（図４参照）と、ガラス板１３の外周側を保持する保持枠１４とを備え、第１前扉５の後側に着脱自在に装着されている。
【００１９】
遊技盤４の前面には、図２〜図５に示すように、発射手段から発射された遊技球を案内するガイドレール１５と、略円弧状の内周面を有する外飾り部材１６とが周方向に装着され、そのガイドレール１５と外飾り部材１６との内側が略円形状の遊技領域１１となっている。ガイドレール１５は内レール１７と外レール１８とを有する。
【００２０】
内レール１７は遊技盤４の一側下部の遊技球の受け入れ部１９側と遊技領域１１の一側上部との間に配置されており、この内レール１７の上端部に、遊技領域１１からガイドレール１５側への遊技球の戻りを防止するための戻り防止具２０が設けられている。外レール１８は一側下部の遊技球の受け入れ部１９側と遊技領域１１の上部側との間に配置されている。
【００２１】
遊技領域１１には、図３に示すように前構造体２３、画像表示手段２４、普通図柄始動手段２５，２６、第１特別図柄始動手段２９、第２特別図柄始動手段３０、特別遊技用の開閉入賞手段３１、普通入賞手段３２、普通図柄表示手段３３、第１特別図柄表示手段３４、第２特別図柄表示手段３５等の各種の遊技部品が配置されている。
【００２２】
前構造体２３は遊技領域１１の左右方向の略中央で開口部３７に対応して遊技盤４の前側に配置されている。この前構造体２３の左右両側の遊技領域１１には、図３に示すように、前構造体２３と左側のガイドレール１５との間に左側通路３８が、前構造体２３と右側の外飾り部材１６との間に右側通路３９が夫々形成されており、遊技領域１１の上部に打ち込まれた遊技球が、その左側通路３８、右側通路３９の何れかを経て落下した後、前構造体２３の下側の遊技領域１１で合流するようになっている。
【００２３】
前構造体２３は、図２に示すように、遊技盤４の前面に当接する支持枠４０と、この支持枠４０の前側に着脱自在に装着された前部材４１と、前部材４１に設けられた表示窓４２とを備え、画像表示手段２４の外周側を前側から覆うように遊技盤４に前側から装着されている。
【００２４】
支持枠４０は、図２、図３、図８に示すように、外周部が開口部３７の外側で遊技盤４の前面に当接する台板４３と、この台板４３の下部側を除く領域で台板４３から前側に突出する略門形状の前周壁部４４と、台板４３から裏側に突出して開口部３７の内周近傍に配置された補強壁部４５とを有し、台板４３が遊技盤４の前側にネジ等の固定具により着脱自在に装着されている。
【００２５】
前部材４１は、図２、図３に示すように、前周壁部４４の前側に装着された前飾り板４７と、前飾り板４７等の内周から後方に屈曲して画像表示手段２４に対応する表示窓４２を形成する窓周壁４８とを有する。この前構造体２３には、図３に示すように、前部材４１の前飾り板４７等の適当箇所に普通図柄表示手段３３、第１特別図柄表示手段３４、第２特別図柄表示手段３５が装着されている。
【００２６】
なお、支持枠４０、前部材４１は光透過性を有する透明、半透明の合成樹脂材料により成型され、必要に応じてメッキ、シール材等の遮光手段により装飾部、遮光部が設けられている。また、台板４３は外周部が遊技盤４の前面に当接する等、その一部が遊技盤４の前面に当接すればよいし、略全周が遊技盤４の前面に当接してもよい。また、補強壁部４５は台板４３に周方向の全周に設けてもよいし、その一部に設けてもよい。
【００２７】
画像表示手段２４は図２、図３に示すように、表示窓４２に対応して遊技盤４の裏側に配置された液晶式等のパネル状の画像表示部５０を有し、この画像表示部５０は後構造体９６を介して遊技盤４の裏側に装着されている。
【００２８】
普通図柄始動手段２５，２６は通過ゲート式であって、左側通路３８及び右側通路３９に対応して配置されており、台板４３から各通路３８，３９側に突出する支持板５１，５２に装着されている。第１特別図柄始動手段２９、第２特別図柄始動手段３０は前構造体２３と最下部のアウト球口４９との間に配置されている。この特別図柄始動手段２９，３０の左側には３個（複数個）の普通入賞手段３２が配置され、右側には開閉入賞手段３１が配置されている。
【００２９】
普通図柄表示手段３３は普通図柄を変動表示するためのもので、複数種類の普通図柄（例えば２種類の「○」「×」）に対応する複数個の発光素子により構成されており、普通図柄始動手段２５，２６が遊技球を検出することを条件に２個の発光素子が交互に点灯するように所定時間点滅して、普通図柄始動手段２５，２６の遊技球の検出時に抽選した乱数値が予め定められた特定遊技判定値と一致した場合に特定態様の「○」側の発光素子が点灯し、それ以外の場合に非特定態様の「×」側の発光素子が点灯して停止する。なお、変動後の普通図柄は１／１０程度の所定の確率で特定態様となる。
【００３０】
第１特別図柄表示手段３４、第２特別図柄表示手段３５は発光部位の変化等で第１特別図柄、第２特別図柄を変動表示可能なセグメント式等の表示手段により構成されており、第１特別図柄表示手段３４は第１特別図柄始動手段２９が、第２特別図柄表示手段３５は第２特別図柄始動手段３０が夫々遊技球を検出することを条件に、第１特別図柄、第２特別図柄が所定時間変動して、第１特別図柄始動手段２９、第２特別図柄始動手段３０の遊技球の検出時に抽選された乱数値が予め定められた特別遊技判定値と一致した場合に所定の特別態様で、それ以外の場合に非特別態様で停止するようになっている。
【００３１】
なお、変動後の第１特別図柄、第２特別図柄は、通常確率状態中は１／３５０等の通常確率で特別遊技となり、特別遊技状態終了後の高確率状態中は１／３５等の高確率で特別遊技となる。特別遊技状態中の場合には第１特別図柄、第２特別図柄は何れも変動しないし、一方が変動中の場合には他方は変動しない。また各特別図柄の始動検出は所定の上限数（例えば４）まで保留可能であり、両方に１以上の保留がある場合には、第２特別図柄表示手段３５の図柄変動が優先する。更に高確率状態中は第１特別図柄、第２特別図柄の変動時間も短縮される。
【００３２】
画像表示手段２４は第１特別図柄表示手段３４、第２特別図柄表示手段３５に対応する演出図柄表示手段５３を構成するもので、第１特別図柄、第２特別図柄の変動時にその図柄変動に同期して変動する１個又は複数個、例えば３個の演出図柄５４ａ〜５４ｃを変動表示する。演出図柄５４ａ〜５４ｃは第１特別図柄始動手段２９、第２特別図柄始動手段３０の遊技球の検出を条件に、抽選により決定された所定の演出図柄変動パターンを経て所定時間変動した後、第１特別図柄、第２特別図柄の変動終了に同期して所定の順序で順次停止する。なお、演出図柄表示手段５３は第１特別図柄表示手段３４、第２特別図柄表示手段３５に対応して別々に設けてもよい。
【００３３】
演出図柄５４ａ〜５４ｃの変動後の停止図柄は、第１特別図柄、第２特別図柄が特別態様で停止する場合には全てが揃う特別演出態様となり、第１特別図柄、第２特別図柄が外れ態様で停止する場合には少なくとも一部が異なる非特別演出態様となる。
【００３４】
例えば、演出図柄５４ａ〜５４ｃには０〜９までの数字図柄が使用されており、特別図柄が特別態様で停止する場合には演出図柄５４ａ〜５４ｃは「７・７・７」等の特別演出態様で停止し、特別図柄が非特別態様で停止する場合には演出図柄５４ａ〜５４ｃは「２・４・５」等の非特別演出態様で停止する。
【００３５】
第１特別図柄始動手段２９は非開閉式であって、画像表示手段２４の下側に配置されており、この第１特別図柄始動手段２９は右側通路３９に比較して左側通路３８を経て落下する遊技球が入賞し易くなっている。
【００３６】
第２特別図柄始動手段３０は開閉式であって、左右一対の開閉部材３０ａを備えた電動チューリップ式入賞手段等により構成され、普通図柄表示手段３３の変動後の普通図柄が特定態様で停止した場合に所定の開放パターンで開放するようになっている。
【００３７】
第２特別図柄始動手段３０の開放パターンには、開放時間の短い通常パターン（例えば０．２秒×１回）と開放時間の長い特別パターン（例えば２秒×３回）とがあり、通常確率状態中は通常パターンが、高確率状態中は特別パターンが夫々選択される。
【００３８】
開閉入賞手段３１は変動後の第１特別図柄、第２特別図柄が特別態様で停止した場合に発生する特別遊技状態中に所定の開放パターンで開閉するもので、可変入賞口３１ａを開閉する開閉板３１ｂを有し、この可変入賞口３１ａに遊技球が入賞したときに、他の普通入賞手段３２等への入賞よりも多くの賞球が払い出されるようになっている。
【００３９】
なお、開閉入賞手段３１の開閉パターンは、開放後に所定数（例えば１０個）の遊技球が入賞するか、所定時間（例えば３０秒）が経過するかの何れか早い方で閉じる開閉動作を１ラウンドとして、そのラウンド数の違いにより複数の種類があり、特別遊技の抽選時にその複数種類の開閉パターンの何れかが抽選される。
【００４０】
普通図柄始動手段２５，２６は遊技球の検出を条件に普通図柄表示手段３３の普通図柄を変動させるためのもので、各通路３８，３９を経て落下する遊技球の通過を検出するようになっている。
【００４１】
左側通路３８は、図３、図４、図９に示すように、ガイドレール１５の内レール１７の上端部の上下近傍に対応する打ち込み領域６０と、この打ち込み領域６０の下側に配置された減速領域６１と、この減速領域６１の下側で多数の遊技釘が設けられた釘打ち領域６２とを有する。
【００４２】
台板４３は、図４〜図９に示すように、打ち込み領域６０及び減速領域６１では支持枠４０の前周壁部４４から内レール１７の近傍、及び内レール１７の延長線上の近傍まで張り出している。この打ち込み領域６０及び減速領域６１の台板４３は、遊技盤４の前面に装着された通路板３８Ａを構成し、その打ち込み領域６０及び減速領域６１の通路板３８Ａに、前側へと突出する障害突起（遊技部品）６３、内外通路壁６４，６５が一体的に設けられている。
【００４３】
左側通路３８内の通路板３８Ａは、図４〜図９に示すように、上下方向の略全体が略均一な板厚であって、打ち込み領域６０に対応する上当接板部６６と、減速領域６１に対応する離間板部６７と、上当接板部６６から離間板部６７へと前向きに傾斜する上傾斜板部６９と、離間板部６７から釘打ち領域６２の上側へと後向きに傾斜する下傾斜板部７０とを一体的に備えている。
【００４４】
上当接板部６６は、裏面が遊技盤４の前面に当接している。離間板部６７は図４、図５に示すように、台板４３の板厚の２倍又はその前後の寸法だけ裏面が遊技盤４の前面から前側に離間している。この離間板部６７は上当接板部６６の前面から通路板３８Ａの板厚の２倍又はその前後の寸法分だけ前側に突出している。なお、離間板部６７の裏側には、遊技盤４の前面に当接するリブ等の支持台を設けてもよい。
【００４５】
障害突起６３は、ガイドレール１５から遊技領域１１に打ち込まれた遊技球を衝突させて衝撃を緩和し、又は遊技球の落下方向に変化を与えるためのもので、図３〜５、図８に示すように、前側が閉塞され裏側に開口する角柱状、その他の適宜形状の中空状に構成され、内レール１７の戻り防止具２０よりも上側で打ち込み領域６０に外レール１８の円弧方向に所定の間隔をおいて複数個（２個）設けられている。
【００４６】
各障害突起６３は上当接板部６６から突出する周壁部６３ａと、この周壁部６３ａの前端側を塞ぐ前壁部（支持壁）６３ｂとを一体に有する中空の角柱状であり、その突出量は遊技球が先端部に衝突可能な長さになっている。即ち、図７に示すように、障害突起６３の突出量Ａは、遊技球の略直径（２Ｒ）程度であり、この障害突起６３の先端とガラス板１３との間隔Ｂは遊技球の半径Ｒ未満の略半径近くである。そのため周壁部６３ａの先端側が遊技球の衝突可能な衝突部６３ｃとなっている。
【００４７】
なお、周壁部６３ａの基部には、台板４３と上当接板部６６との間を補強する肉盛り状の補強部６３ｄが略全周に形成されており、その補強部６３ｄの外周面は遊技球の半径Ｒ未満で滑らかに変化する円弧状に形成されている。
【００４８】
従って、遊技球が障害突起６３の周壁部６３ａに直接衝突する場合にはその前後方向の略中央又はそれよりも前側に衝突し、またガラス板１３に接触した状態で衝突する場合にも、その遊技球の重心位置側が周壁部６３ａ上に略位置するように衝突する。また、遊技球が周壁部６３ａに衝突する衝突部６３ｃの直下に前壁部６３ｂがあるか、又は衝突部６３ｃの近傍に前壁部６３ｂがあるため、遊技球の衝撃による周壁部６３ａの損傷を極力少なくすることができる。
【００４９】
支持枠４０の打ち込み領域６０に対応する前周壁部４４は、図４に示すように、各障害突起６３との間に遊技球が通過し得る間隔をおいて凹部４４ａと凸部４４ｂとが上側から下側へと交互に形成されると共に、その下側に戻り防止具２０と対向する傾斜部４４ｃが設けられ、凹部４４ａ、凸部４４ｂ、傾斜部４４ｃを経由しながら遊技球が減速領域６１へと斜め下方に落下するようになっている。
【００５０】
減速領域６１には内レール１７の近傍に内外通路壁６４，６５が設けられている。この内外通路壁６４，６５の相対向する対向面には、図４に示すように、遊技球の通過速度を抑制する前後方向の障害突部６４ａ，６５ａが周方向に交互に多数（複数）設けられている。内外通路壁６４，６５の間隔は遊技球が１個通過し得る程度に狭くなっており、その内通路壁６４の上端は上傾斜板部６９の下部で寄せ部４４ｄを介して傾斜部４４ｃに接続され、打ち込み領域６０からの遊技球を寄せ部４４ｄを経て内外通路壁６４，６５間へと案内するようになっている。また、内外通路壁６４，６５の下端部には、遊技球を中央側へと案内する屈曲案内部６４ｂ，６５ｂが下傾斜板部７０に対応して設けられている。
【００５１】
この減速領域６１は、離間板部６７とガラス板１３との間隔、内外通路壁６４，６５間の間隔が狭く、遊技球が１個ずつ通過できる程度の狭隘通路である上に、その内外通路壁６４，６５の対向面側に障害突部６４ａ，６５ａがあるため、打ち込み領域６０側に打ち込まれた遊技球の通過速度を十分に減速することができる。
【００５２】
左側通路３８の釘打ち領域６２に対応して前構造体２３の前周壁部４４には、図３、図８に示すように、側面に開口する入球口７３が設けられている。また前構造体２３の下部側には、図６、図９に示すように、画像表示手段２４の前側にステージ部７４、区画部材７５、発光演出手段７６及び可動演出手段７７が配置されている。
【００５３】
区画部材７５は画像表示手段２４の前側をステージ部７４等の遊技球の通過側と可動演出手段７７等の演出側とを前後に区画して後側への遊技球の侵入を阻止するためのものであって、図６、図８〜図１２に示すように、画像表示手段２４の画像表示部５０の下側で遊技盤４の前面側に配置されており、前構造体２３の台板４３と同一平面上に一体に成型されている。即ち、区画部材７５は平板状であって、台板４３の同一平面上に一体に設けられており、その上端縁が画像表示部５０の下縁部の上側又は下側の近傍で略平行になっている。
【００５４】
区画部材７５の前面には、ステージ部７４上の遊技球の停止用を兼用する補強板９９がステージ部７４の一端側に設けられている。この補強板９９は区画部材７５から略直角に前側へと一体に突出して上下方向に配置されており、上端に屈曲部９９ａが設けられ、下端が台板４３の周壁部６３ａに接続されている。
【００５５】
ステージ部７４は入球口７３からの遊技球を転動させて遊技盤４の前側に落下させるためのもので、図６、図８〜図１２に示すように平面視帯板状であって、下側へと正面視円弧状に湾曲して形成されており、前構造体２３の台板４３の前側に着脱自在に装着されている。このステージ部７４は特別図柄始動手段２９，３０の略直上に配置された緩やかな凸部７４ａと、この凸部７４ａの左右両側に配置された緩やかな凹部７４ｂと、凹部７４ｂの左右外側に傾斜状に配置された傾斜部７４ｃとを一体に備え、その一方の傾斜部７４ｃ側を入球口７３に接続する誘導通路７８が一体に設けられている。なお、ステージ部７４は光透過性を有する合成樹脂製である。
【００５６】
また、ステージ部７４には、凸部７４ａ、凹部７４ｂ及び傾斜部７４ｃに跨がって遊技球を案内する前縁部７４ｄが突出状に形成され、その前縁部７４ｄには傾斜部７４ｃ側を移動する遊技球を後側へと案内する案内部７４ｅが平面視円弧状に設けられている。凸部７４ａには前後方向の略中央に孔状の落下口７４ｆが、凹部７４ｂの前縁部７４ｄ側に切り欠き状の落下口７４ｇが夫々設けられ、ステージ部７４上の遊技球をその各落下口７４ｆ，７４ｇから遊技盤４の前側で下方へと落下させるようになっている。
【００５７】
ステージ部７４は台板４３に前側から当接する取り付け板７９が後端側に下向きに屈曲状に設けられている。取り付け板７９はステージ部７４の長手方向に複数の位置決め突起８０と取り付け孔８１とを有し、その位置決め突起８０を台板４３の位置決め孔８２に挿入して位置決めされ、取り付けネジ８３により台板４３の前側に着脱自在に装着されている。取り付けネジ８３は台板４３の取り付け孔８４に後側から挿通され、取り付け板７９の取り付け孔８１に螺合されている。
【００５８】
発光演出手段７６は、図６、図１０、図１３に示すように、ステージ部７４の上下両側で区画部材７５に設けられた発光表示部８６と、この発光表示部８６の下側で区画部材７５の板面方向に光を照射するＬＥＤ等の発光体８７と、区画部材７５に形成され発光体８７からの光を発光表示部８６に導光して発光させる導光部８８とを備えている。
【００５９】
発光表示部８６は、図１０に示すように、ステージ部７４に沿って配置された複数個の装飾図柄８６ａを有し、区画部材７５の裏面側にＶ溝８９等を刻印して形成されている。発光体８７は発光表示部８６の装飾図柄８６ａに対応して可撓基板９０に装着されている。
【００６０】
可撓基板９０は区画部材７５の後側に沿って配置された平面視帯状であり、背面視円弧状に左右一対設けられている。各可撓基板９０は両端が区画部材７５から後側に突出する保持部９１により保持され、下側の補強壁部４５又は補強壁部４５に一体の受け部４５ａにより下側から支持されている。
【００６１】
導光部８８は、図６、図１３に示すように、区画部材７５の後側に一体に形成され且つ発光体８７からの光を前側へと反射する第１反射面８８ａと、区画部材７５の前側に一体に形成され且つ第１反射面８８ａからの光を区画部材７５の板面方向に装飾図柄８６ａ側へと反射する第２反射面８８ｂとを有し、発光体８７からの光を矢印方向に導光して発光表示部８６の装飾図柄８６ａを発光させるようになっている。
【００６２】
なお、区画部材７５には反射面の下側に開口９３が形成され、この開口９３内に可撓基板９０の突部が入り、また、発光体８７の一部が開口９３内に入っている。区画部材７５には、反射面８８ａ，８８ｂ、開口９３等を覆うシール材９４がステージ部７４に沿ってその下側前面に貼着されている。
【００６３】
可動演出手段７７は画像表示手段２４の前側下部に配置されており、画像表示手段２４の画像表示部５０の下側で後構造体９６に装着された支持台９７と、この支持台９７に前後方向の支軸廻りに回動自在に枢支された左右一対の可動演出体９８とを備えている。そして、この可動演出手段７７は、通常時には可動演出体９８が画像表示部５０から下側に退避した退避位置にあり、特別遊技状態が発生するか又は特別遊技状態の発生を予告する等、所定の遊技状態のときに画像表示部５０の前側の移動位置に移動して所定の可動演出を行うようになっている。
【００６４】
遊技に際しては、発射ハンドル９を操作して、球供給皿８内の遊技球を発射手段へと供給しながら、その遊技球を発射手段により遊技盤４側へと順次発射し、ガイドレール１５を経て遊技領域１１へと遊技球を打ち込む。このとき通常確率状態であれば、第１特別図柄始動手段２９に入賞し易い左側通路３８に遊技球が集中するようにその打ち込み領域６０へと打ち込む左打ちをする。
【００６５】
左側通路３８の打ち込み領域６０に打ち込まれた遊技球は、内レール１７の内側の減速領域６１等に沿って流下した後、遊技球が第１特別図柄始動手段２９等に入賞するか、又は入賞せずにアウト球口４９から遊技盤４の裏側へと移動する。遊技球が第１特別図柄始動手段２９に入賞すると、第１特別図柄表示手段３４の第１特別図柄、演出図柄表示手段５３の演出図柄５４ａ〜５４ｃが同期して所定時間変動する。
【００６６】
そして、第１特別図柄始動手段２９に遊技球が入賞したときの抽選結果が特別遊技であるか否かに応じて、第１特別図柄表示手段３４の第１特別図柄が所定時間変動して、その変動後の第１特別図柄が特別態様又は非特別態様で停止し、演出図柄表示手段５３の演出図柄５４ａ〜５４ｃが特別演出態様又は非特別演出態様で停止する。
【００６７】
通常確率状態中でも右側通路３９に進入した遊技球が普通図柄始動手段２５，２６に入賞すれば、普通図柄表示手段３３の普通図柄が変動して変動後に特定態様で停止することもある。しかし、通常確率状態中は第２特別図柄始動手段３０の開放時間が極僅かであるため、第２特別図柄始動手段３０に遊技球が入賞する可能性は非常に低い。
【００６８】
第１特別図柄表示手段３４の変動後の第１特別図柄が特別態様で停止すれば遊技者に有利な特別遊技状態となり、開閉入賞手段３１が抽選された所定の開閉パターンで所定ラウンド数開閉動作を繰り返すので、遊技者は開閉入賞手段３１に遊技球が入賞し易い右側通路３９側に遊技球を集中させるべく右打ちをする。
【００６９】
右側通路３９に入った遊技球は前構造体２３の下側を経て遊技領域１１の中央側へと移動した後、普通図柄始動手段２５，２６、開閉入賞手段３１、特別図柄始動手段２９，３０等に入賞するか、アウト球口４９側へと流下する。なお、特別遊技の場合には、所定の開閉パターンで開閉する可変入賞口３１ａに入賞する。
【００７０】
左打ち時に左側通路３８の打ち込み領域６０に打ち込まれた遊技球は、２個の障害突起６３の一方又は両方に衝突するか、障害突起６３に衝突せずに前構造体２３の打ち込み領域６０側の前周壁部４４に衝突した後、落下方向を適宜変えながら打ち込み領域６０の下側を経て減速領域６１へと移動する。
【００７１】
遊技球が障害突起６３に衝突する場合には、その周壁部６３ａの衝突部６３ｃの直下に前壁部６３ｂがあるか、又は衝突部６３ｃの近傍に前壁部６３ｂがあるため、遊技球の衝撃による周壁部６３ａの損傷を極力少なくすることができ、耐久性が著しく向上する利点がある。
【００７２】
また、打ち込み領域６０を通過した遊技球は、その下側の減速領域６１の内外通路壁６４，６５間を障害突部６４ａ，６５ａに接触しながら下方へと流下する。この減速領域６１では、離間板部６７とガラス板１３との間隔、内外通路壁６４，６５間の間隔が狭くて遊技球が１個ずつ通過できる程度の狭隘である上に、その内外通路壁６４，６５の対向面側に障害突部６４ａ，６５ａがあるため、打ち込み領域６０側に打ち込まれた遊技球の流下速度を十分に減速することができる。
【００７３】
遊技球が入球口７３に入ると、その遊技球は誘導通路７８を経てステージ部７４へと誘導され、ステージ部７４上を転動する。そして、ステージ部７４の中央部分に転動した遊技球は第１落下口７４ｆ、第２落下口７４ｇの何れかから遊技盤４の前側へと落下し、特別図柄始動手段２９，３０等に入賞するか、アウト球口４９へと移動する。
【００７４】
特別利益状態が発生する等、所定の遊技状態になれば、発光演出手段７６が発光演出を、可動演出手段７７が可動演出を夫々行う。発光演出手段７６による発光演出時には、発光体８７が連続又は点滅発光すると、その光が導光部８８の第１反射面８８ａ、第２反射面８８ｂで夫々反射して区画部材７５の板厚内を発光表示部８６の装飾図柄８６ａ側へと導光されるので、装飾図柄８６ａのＶ溝８９を発光させることができる。従って、ステージ部７４の上下両側で区画部材７５の発光表示部８６が発光して発光演出を行うことができる。
【００７５】
一方、可動演出手段７７側では可動演出体９８が画像表示部５０の前側の移動位置へと移動するため、その移動位置への往復移動等により可動演出を行うことができる。
【００７６】
この実施形態では、一般に画像表示手段２４の前側下部に配置されるステージ部７４は、前構造体２３の台板４３及びこれと一体の区画部材７５の前側、即ち、遊技盤４の前面よりも前側に配置している。ステージ部７４をこのように配置すれば、ステージ部７４を遊技者に最も近い位置に配置でき、遊技者の興趣を喚起できると同時に、ステージ部７４と画像表示手段２４との間の前後方向の間隔を十分に確保でき、台板４３の後側の遊技盤４の板厚分に発光演出手段７６の一部を配置する等、遊技盤４の台板４３の後側部分を有効に利用することができる。
【００７７】
また、ステージ部７４が前構造体２３の台板４３の前側にあるため、前構造体２３に形成される入球口７３が遊技盤４の前側であることから、入球口７３から誘導通路７８を含むステージ部７４側を左右方向に平面視帯状に形成できる等、周辺部分を含むステージ部７４の関連部分の構造を単純化することができる。
【００７８】
更に、この実施形態では、前側のステージ部７４等の遊技球の移動側と、その後側の発光演出手段７６、可動演出手段７７、画像表示手段２４等の演出側とを区画する区画部材７５を、前構造体２３の台板４３と一体に設けているので、従来の前構造体２３の内周側に嵌め込んで装着する場合に比較して、区画部材７５と前構造体２３との取り付け部分の構造を簡素化でき製作コストを低減できる他、区画部材７５の外周側の取り付け部分の近傍に発光演出手段７６を配置できる等、区画部材７５の近傍を有効に利用することができる。
【００７９】
図１４、図１５は本発明の第２の実施形態を例示する。この実施形態では、打ち込み領域６０の台板４３に、遊技盤４の前面から前側に離間する離間板部１００と、端縁等の周辺部分から離間板部１００へと傾斜する傾斜板部１０１が設けられており、その離間板部１００に障害突起６３が一体に設けられている。障害突起６３とガラス板１３との間隔は、遊技球の半径近くの半径未満である。他の構成は第１の実施形態と同様である。
【００８０】
このように遊技盤４の前面から前側に離間する離間板部１００を台板４３に設けて、その離間板部１００に障害突起６３を設けることも可能である。この場合には、離間板部１００の遊技盤４の前面からの離間分だけ障害突起６３の突出量が短くなるので、遊技球が衝突する周壁部６３ａを前壁部６３ｂで支持することができ、周壁部６３ａの損傷を更に少なくすることができる。また、障害突起６３の離間板部１００からの突出量が短くなることから、障害突起６３の先端側に遊技球が衝突したときの基部側に加わる衝撃をより緩和することができる。
【００８１】
更に、台板４３の端縁から離間板部１００までの間には、図１５に示すように遊技球の飛行方向に沿って傾斜板部１０１ができるため、この傾斜板部１０１によって遊技球を障害突起６３の前端側へと案内することができ、遊技球を障害突起６３の先端部に集中させることができる。
【００８２】
図１６、図１７は本発明の第３の実施形態を例示する。この実施形態では、障害突起６３の先端側の外周に上向きの衝突部１０２が肉盛り状に形成され、この衝突部１０２で遊技球を受けるようになっている。衝突部１０２は、ガラス板１３、離間板部１００から遊技球の略半径程度離間した位置にある。なお、衝突部１０２は前壁部６３ｂから前側に突出しており、その前後略中央に前壁部６３ｂが設けられている。他の構成は第２の実施形態と同様である。
【００８３】
この実施形態に示すように障害突起６３の外周部の先端側に衝突部１０２を肉盛り状に設けて、この衝突部１０２で遊技球を受けるようにすれば、遊技球の衝撃による周壁部６３ａの損傷を防止することができる。なお、衝突部１０２は障害突起６３の先端側の略全周に設けてもよい。
【００８４】
図１８は本発明の第４の実施形態を例示する。この実施形態では、発光演出手段７６の発光体８７は区画部材７５の開口９３内に配置されており、区画部材７５の板厚内を導光部８８として、その導光部８８を経て発光体８７からの光を発光表示部８６へと導光するようにしている。他の構成は第１の実施形態と同様である。
【００８５】
このように発光体８７からの光を区画部材７５の板厚内を経て発光表示部８６へと導光する場合には、第１の実施形態のような反射面等が不要であり、構造的に更に簡素化することができる。また発光体８７からの光の漏れも少なくできる。
【００８６】
図１９は本発明の第５の実施形態を例示する。この実施形態では、発光演出手段７６は、区画部材７５に形成された発光表示部８６と、この発光表示部８６と対応して区画部材７５の後方の発光基板１０４に装着された複数個の発光体８７とを有し、発光体８７からの光により区画部材７５の発光表示部８６を発光させるようになっている。他の構成は各実施形態と同様である。
【００８７】
このように後側の発光体８７から区画部材７５の発光表示部８６に光を照射して、その光により発光表示部８６を発光させるようにしてもよい。
【００８８】
図２０〜図２２は本発明の第６の実施形態を例示する。この実施形態では、前構造体２３の支持枠４０は遊技盤４の開口部３７に対応して環状に構成されており、この支持枠４０には遊技盤４の前側に当接する台板４３の下部側に板状の区画部材７５が一体に設けられている。半月状の区画部材７５には、遊技盤４の開口部３７の内側に配置される補強壁部４５が台板４３側から連続状に形成されている。区画部材７５の下部側の補強壁部４５は、区画部材７５の下端から後側に屈曲状に設けられている。
【００８９】
区画部材７５はその前面が遊技盤４の前面と略面一状となるように、区画部材７５の板厚分に相当する段部１０６を介して台板４３に一体に設けられている。そして、この区画部材７５にはステージ部７４に対応して位置決め孔８２が形成されると共に、発光演出手段７６に対応して反射面８８ａ，８８ｂ、開口９３等が設けられている。区画部材７５にはステージ部７４の下側前面に化粧カバー１０７が装着され、この化粧カバー１０７により、発光演出手段７６の反射面８８ａ，８８ｂ等が前側から覆われている。他の構成は各実施形態と同様である。
【００９０】
この実施形態に例示するように、前構造体２３の遊技盤４の前面に当接する台板４３に一体に区画部材７５を設けるに当たっても、前構造体２３の下部側では台板４３を無くして、その左右両側の台板４３間に区画部材７５を設けることも可能である。
【００９１】
また、区画部材７５と左右両側の台板４３との間に段部１０６を設けて、その前面にステージ部７４、化粧カバー１０７を設けてもよい。この場合にも、区画部材７５の前面が遊技盤４の前面と略面一状であるため、その区画部材７５の前側にステージ部７４を設けることにより、ステージ部７４を遊技盤４の前面よりも前側に配置することができる。
【００９２】
更に区画部材７５の前側に上下方向に補強板９９を、裏側に補強壁部４５を夫々設け、補強板９９の下端を周壁部６３ａに接続することによって、前構造体２３の下部側の強度を十分に確保することができる。
【００９３】
図２３は本発明の第７の実施形態を例示する。この実施形態では、区画部材７５の上端から後側に屈曲する屈曲部１０８が左右方向の帯状に一体に形成され、その一端が補強板９９の上端に接続されている。このように区画部材７５の上端に屈曲部１０８を一体に設けることも可能である。他の構成は各実施形態と同様である。
【００９４】
図２４は本発明の第８の実施形態を例示する。この実施形態では、区画部材７５は前構造体２３の台板４３に設けられた取り付け部１０９に固定具１１０により着脱自在に装着され、台板４３の略同一面状に配置されている。この区画部材７５には、その上端から画像表示手段２４の画像表示部５０の下側近傍へと屈曲するカバー板１１１が一体に設けられている。カバー板１１１には可動演出手段７７の可動演出体９８等に対応して切り欠き部１１１ａが形成されている。他の構成は各実施形態と同様である。
【００９５】
このように区画部材７５は、前構造体２３の台板４３とは別構成にして、その台板４３に着脱自在に設けてもよい。また区画部材７５を台板４３と別体に構成した場合には、その上端側等の適当箇所にカバー板１１１等を設けることも容易にできる。
【００９６】
以上、本発明の各実施形態について例示したが、本発明はこの各実施形態に限定されるものではなく、本発明の趣旨を逸脱しない範囲で種々の変更が可能である。例えば、各実施形態ではパチンコ機について例示したが、パチンコ機以外のアレンジボール機、雀球機、その他の遊技機に広く採用可能である。
【００９７】
また、遊技球が当接可能な遊技部品には、障害突起６３が代表的であるが、それ以外のものでもよい。更に障害突起６３等の遊技部品の突出量は、その先端部に遊技球が衝突する衝突部６３ｃができるように、ガラス板１３から遊技部品の先端部が遊技球の略半径分離れておればよい。
【００９８】
障害突起６３の先端とガラス板１３との間隔は、遊技球の半径に近ければ半径分以上でもよいが、障害突起６３とガラス板１３との間に遊技球が食い込まない程度にする必要がある。また、障害突起６３等の突出長さは先端部に遊技球が当接可能な範囲であり、遊技球の半径分以上であることはいうまでもない。障害突起６３等の遊技部品は、遊技球の重心位置の下方がその先端部に当接可能であることが望ましい。
【００９９】
障害突起６３等の遊技部品は、その少なくとも上側に衝突部６３ｃがあり、その衝突部６３ｃの前端側に前壁部６３ｂを設けた構造でもよい。従って、障害突起６３等の遊技部品は、その全周に衝突部６３ｃを備えた筒状である必要はない。また前壁部６３ｂを支持壁とし、その前壁部６３ｂにより衝突部６３ｃを衝突側と反対側から支持するようにしているが、周壁部６３ａの前後方向の中間に衝突部６３ｃが位置する場合には、その衝突部６３ｃに対応して支持壁を設けてもよい。
【０１００】
各実施形態では、画像表示部５０の下端部よりも下側に区画部材７５を設けているが、画像表示部５０の下端部よりも上側に延ばしてもよいし、前構造体２３の内周の表示窓４２の全体を塞ぐようにしてもよい。区画部材７５を画像表示部５０の下端部よりも下側に配置する場合には、区画部材７５は不透明な合成樹脂材により成型してもよい。また光透過性を有する区画部材７５の場合には、必要に応じて前面又は裏面に金属メッキ、シール材等の遮光を設けてもよい。
【０１０１】
区画部材７５は台板４３と一体であることが望ましいが、台板４３と別体に構成して台板４３に着脱自在に装着してもよい。また区画部材７５は台板４３と略面一状に設ける他、台板４３の前面から区画部材７５の板厚分かそれよりも若干大きい程度、後側に後退して設けてもよいし、逆に前側に突出して設けてもよい。
【０１０２】
前構造体２３の台板４３は遊技盤４の開口部３７の外側の略全周に対応して設けてもよいし、他の飾り板等を台板４３の前面と略面一状に設ける場合、又は他の装飾体で覆う場合には、一部の範囲の台板４３を省くことも可能である。
【０１０３】
区画部材７５に発光表示部８６を設けるにあたっては、区画部材７５に装飾図柄８６ａをＶ溝８９等で刻印してもよいし、別部材により構成した発光表示部８６を区画部材７５の前面又は裏面に装着してもよい。例えば、区画部材７５の前側にステージ部７４を配置する場合には、そのステージ部７４上の遊技球と干渉しないように、ステージ部７４の上側に所定の間隔をおいて、区画部材７５から前側に突出する発光表示部８６を区画部材７５に装着してもよい。
【０１０４】
区画部材７５の前面にステージ部７４を装着しているが、区画部材７５が前構造体２３の台板４３から後退するか、台板４３から前側に突出する場合には、ステージ部７４は台板４３の前面に設けてもよい。また、ステージ部７４は区画部材７５又は台板４３と一体に設けてもよい。更に、ステージ部７４の形状、構造は任意に変更することが可能である。台板４３にステージ部７４を設けて、区画部材７５を省くことも可能である。また、ステージ部７４、区画部材７５を省いてもよい。
【符号の説明】
【０１０５】
４  遊技盤
１１  遊技領域
１３  ガラス板（透明板）
１５  ガイドレール
２３  前構造体
２４  画像表示手段
３７  開口部
４２  表示窓
４３  台板
４５  補強壁部
６３  障害突起（遊技部品）
６３ｃ  衝突部
７３  入球口
７４  ステージ部
７４ｅ  案内部
７４ｆ，７４ｇ  落下口
７６  発光演出手段
７５  区画部材
７７  可動演出手段
７８  誘導通路
８６  発光表示部
８７  発光体
【図１】
0005925265.tif 000002
【図２】
0005925265.tif 000003
【図３】
0005925265.tif 000004
【図４】
0005925265.tif 000005
【図５】
0005925265.tif 000006
【図６】
0005925265.tif 000007
【図７】
0005925265.tif 000008
【図８】
0005925265.tif 000009
【図９】
0005925265.tif 000010
【図１０】
0005925265.tif 000011
【図１１】
0005925265.tif 000012
【図１２】
0005925265.tif 000013
【図１３】
0005925265.tif 000014
【図１４】
0005925265.tif 000015
【図１５】
0005925265.tif 000016
【図１６】
0005925265.tif 000017
【図１７】
0005925265.tif 000018
【図１８】
0005925265.tif 000019
【図１９】
0005925265.tif 000020
【図２０】
0005925265.tif 000021
【図２１】
0005925265.tif 000022
【図２２】
0005925265.tif 000023
【図２３】
0005925265.tif 000024
【図２４】
0005925265.tif 000025